(57)【要約】【課題】本発明は、ユーザの調整無しにウェブの搬送を安定して行なうことが可能なウェブ張力付与装置を提供することを課題とする。【解決手段】本発明は、送り穴を持たないウェブを一対のローラで挟んで搬送させるウェブ搬送機構の上流側に設けられ、ウェブを挟むドラムと押圧ローラの押圧力によりウェブの張力を変化させるウェブの張力可変手段と、ウェブの張力の強弱を目視するためのバッファ機構とを有する印刷装置のウェブの張力付与装置において、前記ウェブ張力可変手段のドラムをバッファ機構と一体に構成したことを特徴とする。【選択図】図１
2004250203.tif 000002
【特許請求の範囲】
【請求項１】
送り穴を持たないウェブを一対のローラで挟んで搬送させるウェブ搬送機構の上流側に設けられ、ウェブを挟むドラムと押圧ローラの押圧力によりウェブの張力を変化させるウェブの張力可変手段と、ウェブの張力の強弱を目視するためのバッファ機構とを有する印刷装置のウェブの張力付与装置において、前記ウェブ張力可変手段のドラムを前記バッファ機構に一体に構成したことを特徴とする印刷装置のウェブの張力付与装置。
【請求項２】
前記ウェブ張力可変手段のドラムを、該ドラムを保持している部材の回転中心を中心にして移動可能としたことを特徴とする請求項１に記載の印刷装置のウェブの張力付与装置。
【発明の詳細な説明】
【０００１】
【発明の属する技術分野】
本発明は、印刷装置のウェブの張力付与装置に関するものである。
【０００２】
【従来の技術】
送り穴を持たないウェブの搬送機構には、ウェブ上下から一対のローラで挟んで搬送させる方式が広く用いられているが、この場合ウェブ搬送機構の前後では一定以上の張力をウェブに与えておくことが必要である。ウェブの張力が無い状態で搬送を行うとウェブの斜行が発生し易くなり、ウェブの安定した搬送ができなくなる。そこで、従来は複数のシャフト又は従動可能なローラを配置し、ウェブのパスを複雑にして張力を与えることで安定した搬送を行おうとしていた。しかし、ウェブは多種多様であり、前記シャフト又は従動可能なローラでは、ウェブの張力を一定に保つことが難しく、必ずしも安定した搬送は行われていなかった。つまり、安定した搬送を実現させようとすると、ウェブの種類は限定されてしまい、ユーザのニーズに対応できなかった。
【０００３】
また、ウェブ搬送機構の前に設けられた従来のウェブ張力付与機構２５を図４、図５に示す。板バネ３ａを介して構成される押圧ローラ３はシャフト１０に固定されており板バネ３ａの弾性力により、フレームに固定されているドラム２に押圧される構成になっている。シャフト１０は軸受２１により回動可能となっている。また、シャフト１０の印刷装置正面側の端部にはレバー２２がネジ２３にて保持されている。ネジ２３にはツマミ２３ａが付いておりツマミ２３ａを回す事によってウェブＷの張力を任意に調整可能である。ネジ２３を回すと押圧ローラ３がドラム２に強く当りウェブＷの張力が増加する。左に回すと押圧ローラ３がドラム２に弱く当りウェブＷの張力が減少する。４ａはドラム４を保持しているアーム５の回転中心でありドラム４は印刷装置の左右側に移動可能である。ウェブＷの張力の強弱はバネ２４を引張る力となりドラム４の位置で確認可能である。しかしながらこのようなウェブ張力付与装置も考案されているが、この構成であるとユーザがネジ２３のツマミ２３ａを回しウェブＷの張力を調整しなくてはならず多種多様なウェブに対応する高精度の調整は難しかった。
【０００４】
【発明が解決しようとする課題】
上記したように、従来技術では、多種多様のウェブを正確に搬送することは難しく、搬送時におけるウェブ張力を高精度にしかも、張力の可変を簡単に行う必要性が生じてきている。
【０００５】
本発明の目的は、ユーザの調整無しにウェブの搬送を安定して行なうことを実現可能なウェブ張力付与装置を提供することにある。
【０００６】
【課題を解決するための手段】
上記の目的は、送り穴を持たないウェブを一対のローラで挟んで搬送させるウェブ搬送機構の上流側に設けられ、ウェブを挟むドラムと押圧ローラの押圧力によりウェブの張力を変化させるウェブの張力可変手段と、ウェブの張力の強弱を目視するためのバッファ機構とを有する印刷装置のウェブの張力付与装置において、前記ウェブ張力可変手段のドラムを前記バッファ機構と一体に構成することによって達成される。
【０００７】
【発明の実施の形態】
以下、本発明の実施例を図３を用いて説明する。図３は本発明のウェブ張力付与装置を搭載した印刷装置Ｐの模式図である。
【０００８】
給紙装置（図示せず）から送り出されたウェブＷは、ウェブＷを一時的に蓄える蓄積部に送り込まれる。蓄積部では、ウェブＷは弛んでおり、張力はほとんどかかっていない状態である。次にウェブＷは張力付与装置１に送り込まれ、ガイドシャフト１３、ガイド７を経て主にウェブＷを搬送する搬送ローラ８、９によって印写部１６、定着装置１７に送り込まれる。搬送ローラ９は駆動源を持つ駆動ローラとして設けられており、搬送ローラ８はバネの弾性力によってウェブＷを介して搬送ローラ９に圧接された従動ローラとして設けられている。
【０００９】
ウェブ張力付与機構１は、駆動源を持たないドラム２に押圧するように設けられた押圧ローラ３と、ウェブ搬送路上において移動可能に保持されたドラム４とから構成されている。ドラム２はドラム４を保持しているアーム５によって保持されている。ドラム２を押圧する押圧ローラ３は従動ローラとして設けられており、本例においては、ウェブＷの幅方向において複数に分割して配置されたローラ構成となっている。また、ドラム４は、回転中心４ａを持ち、軸受（図示せず）により回動可能に支持されたアーム５の自由端に固定されており自重によりウェブＷの面に付勢されている。
【００１０】
ウェブＷの種類（連量及び幅）のニーズは多種多様にわたるため、ウェブＷに与える適切な張力が各々異なる。例えば、薄いウェブの場合、張力が弱いとウェブＷの走行がガイド７上で不安定となり、多大な斜行が発生してしまい、ジャムに到るなど正常なウェブＷの搬送が不可能となってしまう。
【００１１】
また、搬送ローラ８、９の搬送力は、薄いウェブの方が厚いウェブより弱いため、張力の影響を受けやすい。つまり、薄いウェブにおいて張力が過度に強い場合は搬送ローラ８、９での搬送力に対し、張力が逆方向に働いてしまうため、搬送力は減少してしまう。この場合ウェブＷは正規の速度で搬送されず、遅れが生じるためウェブＷ上の正確な位置に印刷が行われず、位置ずれとなってしまう。また、ウェブＷの幅が小さい程、幅方向の単位長さ当りにかかる張力が強くなり、同じ張力でも影響を受け易いことがわかっている。
【００１２】
従って、ウェブの斜行、画像の位置ずれを少なくし、常に一定で良好な画像品質を得るためには、ウェブＷの連量、幅によって張力を調整することが必要がある。
【００１３】
以下本発明を、図１、２を用いて説明する。
【００１４】
押圧ローラ３は板バネ３ａを介してシャフト１０に固定されており、板バネ３ａの弾性力によりドラム２に押圧される構成になっている。シャフト１０はフレーム（図示せず）に固定されている。６はドラム４とドラム２を保持しているアーム５のストッパであり、印刷装置前後方向に一対に設けられたアーム５間に剛性を上げるために設けられたシャフト５ａに当接するように配置されている。
【００１５】
ウェブＷの張力は、ウェブ張力可変手段の進行方向下流に設けられたバッファ機構のドラム４の位置により、強弱を目視可能である。図１の場合、ウェブＷの張力が強い場合は、ウェブＷがドラム４を持ち上げる力を有するためドラム４は持ち上げられ右側に位置する。逆に弱い場合は図２のようにドラム４を持ち上げることができずドラム４は左側に位置する。ここで本方式のウェブ張力付与装置１によればドラム４とドラム２はアーム５にて保持され回転中心４ａを持つ構成をとっていることからドラム４が右側に位置した場合は、ドラム２はドラム４と反対方向に動き押圧ローラ３と弱く当り、ウェブＷの張力が弱くなる。そうするとドラム４は左側に動き、ウェブＷの搬送に適切な張力が得られた状態でバッファ機構、すなわちドラム４、アーム５は安定する。また、ドラム４が左側に位置した場合は、ドラム２は押圧ローラ３と強く当り、ウェブＷの張力が強くなる。そうするとドラム４は右側に動き、ウェブＷの搬送に適切な張力が得られた状態でドラム４、アーム５は安定する。
【００１６】
本発明のウェブ張力付与装置１は上記の構成であるから、多種多様なウェブに対応するためにユーザが個々に張力の調整をすることなく、ウェブの搬送を確実に行うことが出来る。
【００１７】
【発明の効果】
以上述べたように、本発明のウェブ張力付与装置によれば、ウェブの種類によってウェブの張力を可変可能なウェブの張力可変手段と、ウェブの張力を目視可能なバッファ機構を一体に設けたことにより、ユーザがウェブの張力を調整しなくてもウェブの種類にかかわらずウェブの搬送を安定して行うことができる。
【図面の簡単な説明】
【図１】本発明のウェブ張力付与装置の実施例を示す概略図。
【図２】本発明のウェブ張力付与装置の実施例を示す概略図。
【図３】本発明のウェブ張力付与装置を搭載した印刷装置の実施例を示す模式図。
【図４】従来のウェブ張力付与装置を示す概略図。
【図５】図４におけるＡ矢視拡大図。
【符号の説明】
１…ウェブ張力付与装置、２…ドラム、３…押圧ローラ、４…ドラム、５…アーム、６…ストッパ、７…ガイド、８、９…搬送ローラ、１０…シャフト、１３…ガイドシャフト、１６…印写部、１７…定着装置、２１…軸受、２２…レバー、２３…ネジ、２４…バネ、２５…従来のウェブ張力付与装置、Ｗ…ウェブ。
【図１】
2004250203.tif 000003
【図２】
2004250203.tif 000004
【図３】
2004250203.tif 000005
【図４】
2004250203.tif 000006
【図５】
2004250203.tif 000007